(57)【特許請求の範囲】
【請求項１】
被検体からのγ線を検出して検出信号を出力する複数の放射線検出器と、
前記検出信号を入力して、少なくとも前記検出信号を出力した前記放射線検出器の位置情報及び前記検出信号に対する時刻情報を含む検出データを出力する複数の検出信号処理手段と、
前記検出信号処理手段から出力される前記検出データに基づいて、同時判定処理を並列して行う複数の同時計数装置と、
切替動作により、ある時間帯に検出された前記検出信号に基づく前記検出データをある一つの前記同時計数装置に伝送し、他の時間帯に検出された前記検出信号に基づく前記検出データを他の一つの前記同時計数装置に伝送する複数の切替手段と
を備えたことを特徴とする放射線検査装置。
【請求項２】
被検体からのγ線を検出して検出信号を出力する複数の放射線検出器と、
前記検出信号を入力して、少なくとも前記検出信号を出力した前記放射線検出器の位置情報及び前記検出信号に対する時刻情報を含む検出データを出力する複数の検出信号処理手段と、
これら複数の検出信号処理手段がグループ分けされて形成される複数の検出信号処理手段群毎に設けられ、前記各検出信号処理手段からそれぞれ出力された各々の前記検出データを前記検出信号処理手段群毎に記憶する複数の記憶手段と、
これら複数の記憶手段に記憶された前記検出データを基に、同時判定処理を並列して行う複数の同時計数装置と、
切替動作により、ある時間帯に検出された前記検出信号に基づく前記検出データをある一つの前記同時計数装置に伝送し、他の時間帯に検出された前記検出信号に基づく前記検出データを他の一つの前記同時計数装置に伝送する複数の切替手段と
を備えたことを特徴とする放射線検査装置。
【請求項３】
請求項２記載の放射線検査装置において、前記切替手段を前記複数の記憶手段に設定された設定期間毎に切り替える制御を行う制御装置を備えたことを特徴とする放射線検査装置。
【請求項４】
請求項２又は３記載の放射線検査装置において、前記略環状に配設された複数の放射線検出器は、それぞれの前記検出信号処理手段群に対応する複数の放射線検出器群に分割されていることを特徴とする放射線検査装置。
【請求項５】
請求項１〜４のいずれか１項記載の放射線検査装置において、前記各検出信号処理手段に前記時刻情報を出力する時刻情報発生手段を備えたことを特徴とする放射線検査装置。
【請求項６】
請求項５記載の放射線検査装置において、前記制御装置は、前記時刻情報発生手段から出力された時刻情報に基づいて前記切替手段を前記設定期間毎に切り替えることを特徴とする放射線検査装置。
【請求項７】
請求項１〜６のいずれか１項記載の放射線検査装置において、前記検出信号処理手段は、エネルギーがエネルギー設定値未満である前記検出信号を除去すると共に、エネルギーが前記エネルギー設定値以上である前記検出信号に対し、少なくとも前記位置情報、前記時刻情報を前記検出データとして出力することを特徴とする放射線検査装置。
【請求項８】
請求項１〜７のいずれか１項記載の放射線検査装置において、前記複数の放射線検出器は、略環状に配置され、かつその径方向及び軸方向に多層に配置されていることを特徴とする放射線検査装置。
【請求項９】
被検体からのγ線を検出して検出信号を出力する複数の放射線検出器と、
前記放射線検出器毎に設けられ、前記検出信号を入力して、少なくとも前記検出信号を出力した前記放射線検出器の位置情報及び前記検出信号に対する時刻情報を含む検出データを出力する複数の検出信号処理手段と、
これら複数の検出信号処理手段がグループ分けされて形成される複数の検出信号処理手段群毎に設けられ、前記各検出信号処理手段からそれぞれ出力された各々の前記検出データを前記検出信号処理手段群毎に記憶する複数の記憶手段と、
これら複数の記憶手段に記憶された前記検出データを入力し、これらの前記検出データを基に、同時判定処理を並列して行い、前記時刻情報の差が設定時間以内に入る複数対の前記検出データを用いて、前記被検体の断層像データの作成に用いる情報を作成し、作成されたその情報を出力する複数の同時計数装置と、
前記複数の同時計数装置から出力された前記情報を基に、前記断層像データを作成する画像作成装置と、
切替動作により、ある時間帯に検出された前記検出信号に基づく前記検出データをある一つの前記同時計数装置に伝送し、他の時間帯に検出された前記検出信号に基づく前記検出データを他の一つの前記同時計数装置に伝送する複数の切替手段と
を備えたことを特徴とする放射線検査装置。
【請求項１０】
請求項１〜９のいずれか１項記載の放射線検査装置において、ＰＥＴ検査を行うことを特徴とする放射線検査装置。
【請求項１１】
請求項１〜１０のいずれか１項記載の放射線検査装置において、Ｘ線発生器と、前記放射線検出器に接続したＣＴ信号処理装置とを更に有し、ＣＴ検査を行うことを特徴とする放射線検査装置。
【発明の詳細な説明】
【０００１】
【発明の属する技術分野】
本発明は、放射線を利用した放射線検査装置、特にポジトロン放出核種を利用した、陽電子放出型ＣＴ（Positron Emission Computed Tomography，以下ＰＥＴという）検査装置に関するものである。
【０００２】
【従来の技術】
近年、Ｘ線ＣＴ、単光子放出型ＣＴ（ＳＰＥＣＴ）や、上記ＰＥＴ等のような、被検者体内の状態を切開せずに検査する放射線検査技術が急速に進歩してきている。これらの技術は、被検者体内から放出される放射線、又は被検者を透過した放射線を検出し、検出した放射線のエネルギー、入射方向、入射位置等を基に、被検者体内の状態を演算し画像化する技術である。これらの技術は膨大なデータを処理する必要があり、近年のコンピュータ技術の急速な発達に伴い、高速・高精細画像を提供できるようになってきた。特にＰＥＴにおいては、Ｘ線ＣＴ等では困難である被検者の代謝機能を検出し、画像化することが可能である。
【０００３】
このＰＥＴとは、被検者に投与したＰＥＴ用薬剤（放射性薬剤）の分布を計測して画像化する手法である。ＰＥＴ用薬剤は、例えば18Ｆ，15Ｏ，11Ｃ等といったポジトロン（β＋）を放出する放射性核種（ポジトロン放出核種）を含有しており、放出されたポジトロンは、付近の電子と結合し消滅の際に所定のエネルギー（では５１１keV）を持つ１対のγ線（γ線対）を放出する。このγ線対は、互いにほぼ反対方向（１８０±０．６°）に放射されるので、それぞれを検出した放射線検出器の間で陽電子が放出されたことになる。ＰＥＴ検査では、こうしたγ線対を多数検出することで、放射性薬剤が集積した位置を特定する。例えば、ＰＥＴを癌検査に適用する場合、癌細胞が糖を多量に代謝することから、糖の一種であるフルオロデオキシグルコース（18ＦＤＧ）等をＰＥＴ用薬剤として用い、このＰＥＴ用薬剤が高集積する位置を検出することにより、癌病巣位置を特定することが可能である。こうしたＰＥＴ検査を行う装置としては、例えば特開２００１−３３５５６号公報に記載の放射線画像装置等、多数のものが既に提唱されている。
【０００４】
【発明が解決しようとする課題】
通常、ＰＥＴ検査装置においては、検査時、ベッドに横たわる被検者の周囲を取り囲むよう、放射線を検出する放射線検出器が略リング状に配置されている。そして、放射線検出器から出力されたγ線の検出信号のうち、同時計数回路等の演算処理装置により同時判定された検出信号をγ線対の検出信号と判定し、これらγ線対の検出信号を出力したそれぞれの放射線検出器の位置情報を含む同時検出データを元に放射線の発生頻度の空間分布を表す画像データを作成し、放射線発生頻度分布画像、即ちＰＥＴ像を再構成して表示する。なお、本願明細書において、「同時」とは、設定時間（例えば１０［nsec］）以内であることを意味し、先の場合、設定時間内に出力された２つの検出信号を、γ線対の検出信号と判定したことになる。
【０００５】
ところで、現在、こうしたＰＥＴ検査装置を始めとする放射線検査装置は、画像の空間分解能の向上や被検者への負担軽減への配慮から検査時間短縮を図るため、放射線検出器の数が著しく増加する傾向にある。その結果、放射線検出器からの信号を伝送する配線も増加し、これにより、内部配線が複雑かつ長尺となり、データの処理応答性の低下を招く可能性がある。
【０００６】
そこで、上記従来技術においては、演算した同時検出データを一時的に記憶する複数の一時記憶部と、各一時記憶部にそれぞれ接続し各一時記憶部からの同時検出データを元に、画像データを作成しＰＥＴ像を再構成する複数のコンピュータ（画像作成装置）とを設け、最終的にＬＡＮを介して各コンピュータのＰＥＴ像をいずれかのコンピュータに取り込み、合成して表示する例が開示されている。この従来技術においては、このように同時検出データを一時的に記憶し、ＰＥＴ像を再構成する回路を複数設けることにより、最終的に画像データを生成しＰＥＴ像の再構成処理をする部分においては効率化が図られている。
【０００７】
しかしながら、上記従来技術では、ＰＥＴ像を再構成する回路の前段において、各放射線検出器からの検出信号を１つの処理装置（信号処理装置）に集約し、そこで全ての検出信号を同時判定している。こうした検出信号の量は、同時判定後の同時検出データ量に比べて極めて大きく、γ線の被検者体内における通過率や放射線検出器の感度にもよるが、一般的には、検出信号の総量は、画像データのおよそ数十〜百倍程度と言われている。加えて、前述のように、ＰＥＴ像の高精度化、検査時間の短縮等を図るために、今後、放射線検出器の設置数が更に増加することも十分に考えられる。このことを考慮すると、上記従来技術のように、全検出信号を１つの信号処理装置に集約させる構成とした場合、信号処理装置へのデータ伝送能力や信号処理装置の処理能力が十分に確保されない可能性が生じる。
【０００８】
本発明の目的は、情報の処理をより速やかに行うことができる放射線検査装置を提供することにある。
【０００９】
【課題を解決するための手段】
（１）上記目的を達成する第１の発明の特徴は、被検体からのγ線を検出して検出信号を出力する複数の放射線検出器と、前記検出信号を入力して、少なくとも前記検出信号を出力した前記放射線検出器の位置情報及び前記検出信号に対する時刻情報を含む検出データを出力する複数の検出信号処理手段と、前記検出信号処理手段から出力される前記検出データに基づいて、同時判定処理を並列して行う複数の同時計数装置と、切替動作により、ある時間帯に検出された前記検出信号に基づく前記検出データをある一つの前記同時計数装置に伝送し、他の時間帯に検出された前記検出信号に基づく前記検出データを他の一つの前記同時計数装置に伝送する複数の切替手段とを備えることにある。
また、上記目的を達成する第２の発明の特徴は、被検体からのγ線を検出して検出信号を出力する複数の放射線検出器と、前記検出信号を入力して、少なくとも前記検出信号を出力した前記放射線検出器の位置情報及び前記検出信号に対する時刻情報を含む検出データを出力する複数の検出信号処理手段と、これら複数の検出信号処理手段がグループ分けされて形成される複数の検出信号処理手段群毎に設けられ、前記各検出信号処理手段からそれぞれ出力された各々の前記検出データを前記検出信号処理手段群毎に記憶する複数の記憶手段と、これら複数の記憶手段に記憶された前記検出データを基に、同時判定処理を並列して行う複数の同時計数装置と、切替動作により、ある時間帯に検出された前記検出信号に基づく前記検出データをある一つの前記同時計数装置に伝送し、他の時間帯に検出された前記検出信号に基づく前記検出データを他の一つの前記同時計数装置に伝送する複数の切替手段とを備えることにある。
【００１０】
第１の発明においては、同時計数装置が複数設けられているので、同時検出データの演算処理速度を向上させることができ、画像作成までに要する時間を短縮できる。
また、第２の発明においては、複数の記憶装置、複数の同時計数装置及び複数の切替手段を設けることによって、各検出信号処理手段からそれぞれ出力された各々の検出データを検出信号処理手段群毎に対応する記憶手段に記憶させ、複数の記憶手段に設定期間内に記憶されたそれぞれの検出データを、複数の切替手段によって設定期間毎に切り替えて交互に１つの同時計数装置に対して伝送できる。即ち、ある設定期間内では１つの記憶手段からある１つの同時計数装置に検出データが伝送され、次の設定期間内では別の記憶装置から上記のある１つの同時計数装置に検出データが伝送される。このため、設定期間内に同時計数装置に伝送される情報量が著しく減少し、情報を伝送する伝送路として情報伝送容量のより小さい伝送路を用いることができる。また、複数の検出信号処理手段群の各検出信号処理手段からそれぞれ出力された検出データが、実質的に時間分割されて上記のある１つの同時計数装置に伝送されることになるため、情報伝送容量のより小さい伝送路を用いても、結果的に、上記のある１つの同時計数装置に伝送される検出データの伝送速度を増大できる。上記のある１つの同時計数装置は、ある設定期間内に複数の記憶手段内に記憶された各検出データに基づいて、被検体の断層像データの作成に用いられる情報を短時間に得ることができる。同時計数装置が複数設けられているため、検出データの処理速度も増大できる。従って、断層像の作成までに要する時間も短縮できる。第２発明によれば、情報伝送容量より小さい伝達路を用いても検出データの伝送速度を増大でき、ある一つの同時計数装置は被検体の断層像データの作成に用いられる情報を短時間に得ることができる。
【００１１】
このとき、ある設定期間内に複数の記憶手段に記憶された検出データは、最終的にいずれか１つの同時計数装置に集約され、その１つの同時計数装置で同時判定処理を受けるので、本発明をＰＥＴ検査装置に適用しても、最終的に作成される断層像（ＰＥＴ像）のデータの信頼性が低下することはない。即ち、第２発明によれば、ＰＥＴ検査装置の放射線検出器数が今後更に増大した場合でも、同時計数装置に効率的にデータ伝送を行うことができ、同時計数装置は円滑に同時判定処理を行うことができる。この結果、画像作成装置に対して、断層像の作成に用いる情報を効率的に出力することができ、画像作成装置におけるデータ記憶容量を軽減することもできる。
【００１２】
（２）上記（１）において、好ましくは、前記切替手段を前記設定期間毎に切り替える制御を行う制御装置を備える。
【００１３】
（３）上記（１）又は（２）において、また好ましくは、前記各検出信号処理手段に前記時刻情報を出力する時刻情報発生手段を備える。
【００１４】
（４）上記（３）において、また好ましくは、前記制御装置は、前記時刻情報発生手段から出力された時刻情報に基づいて前記切替手段を前記設定期間毎に切り替える。
【００１５】
（５）上記（１）〜（４）のいずれか１つにおいて、好ましくは、前記検出信号処理手段は、エネルギーがエネルギー設定値未満である前記検出信号を除去すると共に、エネルギーが前記エネルギー設定値以上である前記検出信号に対し、少なくとも前記位置情報、前記時刻情報を前記検出データとして出力する。
【００１６】
（６）上記（１）〜（５）のいずれか１つにおいて、更に好ましくは、前記複数の放射線検出器は、略環状に配置され、かつその径方向及び軸方向に多層に配置されている。
【００１７】
（７）上記（６）において、好ましくは、前記略環状に配設された複数の放射線検出器は、それぞれの前記検出信号処理手段群に対応する複数の放射線検出器群に分割されている。
【００１８】
（８）上記目的を達成する第３の発明の特徴は、被検体からのγ線を検出して検出信号を出力する複数の放射線検出器と、前記放射線検出器毎に設けられ、前記検出信号を入力して、少なくとも前記検出信号を出力した前記放射線検出器の位置情報及び前記検出信号に対する時刻情報を含む検出データを出力する複数の検出信号処理手段と、これら複数の検出信号処理手段がグループ分けされて形成される複数の検出信号処理手段群毎に設けられ、前記各検出信号処理手段からそれぞれ出力された各々の前記検出データを前記検出信号処理手段群毎に記憶する複数の記憶手段と、これら複数の記憶手段に記憶された前記検出データを入力し、これらの前記検出データを基に、同時判定処理を並列して行い、前記時刻情報の差が設定時間以内に入る複数対の前記検出データを用いて、前記被検体の断層像データの作成に用いる情報を作成し、作成されたその情報を出力する複数の同時計数装置と、前記複数の同時計数装置から出力された前記情報を基に、前記断層像データを作成する画像作成装置と、切替動作により、ある時間帯に検出された前記検出信号に基づく前記検出データをある一つの前記同時計数装置に伝送し、他の時間帯に検出された前記検出信号に基づく前記検出データを他の一つの前記同時計数装置に伝送する複数の切替手段とを備えることにある。
【００１９】
（９）上記（１）〜（８）のいずれか１つにおいて、また好ましくは、ＰＥＴ検査を行う。
【００２０】
（１０）上記（１）〜（９）のいずれか１つにおいて、更に好ましくは、Ｘ線発生器と、前記放射線検出器に接続したＣＴ信号処理装置とを更に有し、ＣＴ検査を行う。
【００２１】
【発明の実施の形態】
以下、本発明のＰＥＴ検査装置の実施の形態を図面を用いて説明する。
図１〜図３に示すように、この放射線検査装置に備えられた撮像装置２は、ケーシング３と、放射線を検出する多数（例えば合計１００００個）の放射線検出器４と、この放射線検出器４を支持する複数の検出器支持板５とを有している。
【００２２】
図３に示すように、上記の検出器支持板５は略半割れリング状の部材で、その孔部（内周部）６の軸方向（図１中でいう左右方向）に複数枚列設され、それぞれケーシング３に固定されている。放射線検出器４は、これら検出器支持板５の側面に取付けられ、軸方向に複数列設けられると共に、最も内側に環状配置された放射線検出器４を基点として、放射状に多層配置（この例では３層配置）されている。また、図３には特に図示しないが、こうした放射線検出器４を取付けた複数の検出器支持板５が、上記孔部６を介し、もう１組上部側に対向するよう、ケーシング３に固定され図２に示すように放射線検出器４が略環状に設けられている（但し、検出器支持板５そのものを、リング状に形成しても良い）。
【００２３】
このとき、図１に示すように、被検体となる被検者３０が検査時に横たわるベッド３１は、上記孔部６に挿通されるよう、支持部材３２によりスライド可能に支持されており、孔部６にベッド３０が挿入されると、上記のように配設した多数の放射線検出器４が、被検者３０の周囲を取り囲むようになっている。なお、本実施の形態においては、これら複数の放射線検出器４を上記孔部６の軸方向（図１中左右方向）ほぼ中央位置で、複数（この例では２つ）の放射線検出器群４Ａ，４Ｂに区画している。
【００２４】
ここで、代表的な放射線検出器として、例えば半導体放射線検出器やシンチレータ等といったものがあるが、シンチレータは、放射線検出部であるクリスタル（ＢＧＯ、ＮａＩ等）に光電子増倍管等を配置する必要があり、多層配置にはあまり適していない。従って、本実施の形態のように多層配置する放射線検出器４としては、光電子増倍管等が不要な半導体放射線検出器が好ましい。半導体放射線検出器を用いる場合、放射線検出器４の検出部は、例えば、カドミウムテルル（ＣｄＴｅ）やガリウムヒ素（ＧａＡｓ）、カドミウムテルル亜鉛（ＣＺＴ）等で構成すると良い。そして、放射線検出器４は、放射線が入射して減衰した場合、その減衰エネルギー分の電荷を放射線の検出信号として出力するようになっている。
【００２５】
図４は本実施の形態の放射線検査装置における信号の伝送回路を表す概略図である。この図４に示すように、上記放射線検出器群４Ａ，４Ｂは、それぞれ対応する複数（この例では２つ）の信号処理装置（検出信号処理手段群）７Ａ，７Ｂに接続されている。これら信号処理装置７Ａ，７Ｂは、各放射線検出器４に対応して設けられたそれぞれのγ線弁別装置（検出信号処理手段）７の集合体である。各放射線検出器４は、入力したγ線が内部でエネルギー減衰したときに減衰エネルギーに対応したエネルギーを有する検出信号を出力する。各放射線検出器４から出力された検出信号は、対応するγ線弁別装置７に入力され、ここで設定したエネルギーしきい値に満たない信号は除去され、エネルギーしきい値以上のもののみが検出データとして出力されるようになっている。これらγ線弁別装置７には、タイマ（時刻情報発生手段）１１に接続された制御装置１２が接続しており、制御装置１２はタイマ１１から出力された時刻情報を入力して各γ線弁別装置７に出力する。そして、各γ線弁別装置７は、入力したγ線の検出信号の上記したエネルギーの値（エネルギー検出値という）と、その検出信号を出力した放射線検出器４の位置情報（アドレス）と、時刻情報（例えば、検出信号がγ線弁別装置７に入力されたときにγ線弁別装置７に入力された時刻情報）とを含む検出データを後段のバッファ（記憶手段）１０ａ〜１０ｆのいずれかに出力する。
【００２６】
信号処理装置７Ａ，７Ｂからのγ線の検出データは、それぞれ配線８Ａ，８Ｂを経て集約され、切替スイッチ９Ａ，９Ｂを介しバッファ１０ａ〜１０ｆのいずれかに入力されて、一時的に記憶される。切替スイッチ９Ａは、信号処理装置７Ａからの検出データの出力先をバッファ１０ａ〜１０ｃのいずれかに切替えるもので、その切替動作は、制御装置１２により制御されるようになっている（詳細は後述）。切替スイッチ９Ｂは、信号処理装置７Ｂからの検出データの出力先をバッファ１０ｄ〜１０ｆのいずれかに切替えるもので、その切替動作は、同様に、制御装置１２により制御されるようになっている（詳細は後述）。なお、この図４において、繁雑防止のため、切替スイッチ９Ｂのみが制御装置１２に接続した状態を示したが、実際には切替スイッチ９Ａも制御装置１２に接続している。
【００２７】
バッファ１０ａ〜１０ｃの後段には、切替スイッチ１３Ａ，１４Ａが、バッファ１０ｄ〜１０ｆの後段には、切替スイッチ１３Ｂ，１４Ｂが、それぞれ設けられている。切替スイッチ１３Ａ及び１４Ａ、切替スイッチ１３Ｂ及び１４Ｂは、それぞれ互いの可動端子が接続しており、これら４つの可動端子は、上記制御装置１２により、タイマ１１から出力される時刻情報（例えば、パルス信号）に応じて切替制御されるようになっている。また、切替スイッチ１４Ａ，１４Ｂの後段には、配線１５ａ〜１５ｄを介してバス１６Ａ，１６Ｂが接続されている。詳細には、切替スイッチ１４Ａは、それぞれ配線１５ａ，１５ｂを介してバス１６Ａ，１６Ｂに接続しており、切替スイッチ１４Ｂは、それぞれ配線１５ｃ，１５ｄを介してバス１６Ａ，１６Ｂに接続している。即ち、バッファ１０ａ〜１０ｆに記憶された検出データは、制御装置１２による切替スイッチ１３Ａ，１３Ｂ，１４Ａ，１４Ｂの適宜の制御（詳細は後述）により、それぞれバス１６Ａにもバス１６Ｂにも出力可能な構成となっている。
【００２８】
バス１６Ａを経由した検出データは同時計数装置１７Ａに、バス１６Ｂを経由した検出データは同時計数装置１７Ｂにそれぞれ出力される。同時計数装置１７Ａは、入力された記憶データを一時的に記憶する補助メモリ１８Ａ（例えばＤＲＡＭ等）と、この補助メモリ１８Ａの記憶データを基に同時検出データを演算処理する演算処理装置（ＣＰＵ）１９Ａと、この演算処理装置１９Ａで得られた同時検出データを記憶する主メモリ２０Ａ（例えばハードディスクドライブ等）とを備えている。また、同時計数装置１７Ｂも、同様に補助メモリ１８Ｂと、演算処理装置１９Ｂと、主メモリ２０Ｂとを備えている。なお、演算処理装置１９Ａ，１９Ｂでは、入力された各検出データが、それに含まれる時刻情報を基に同時判定され、ここで同時判定された検出データ同士が、体内で１つのポジトロン（陽電子）の消滅によって生じたγ線対のデータとして特定される。そして、演算処理装置１９Ａ，１９Ｂは、こうしたγ線対のデータを多数特定し、特定したγ線対の２つのγ線を検出した各放射線検出器４の位置情報及びこれらの放射線検出器４が出力した検出信号の個数（計数値）を、ＰＥＴ像の作成に用いる情報（同時検出データ）として、主メモリ２０Ａ，２０Ｂに出力する。各放射線検出器の位置情報は、図５に示したようなγ線対が入射した検出器位置の対を示すファイル形式でそれぞれ主メモリ２０Ａ，２０Ｂに格納するようになっている。
【００２９】
そして、主メモリ２０Ａ，２０Ｂに記憶された同時検出データは、例えばＬＡＮ（Local Area Network）等といったネットワーク２１を介し、画像作成装置２２に出力される。画像作成装置２２は、同時検出データを元に、放射線の発生頻度の空間分布を表す画像データ（被検者３０に対する断層像データ）を作成し、ＰＥＴ像として再構成する。ＰＥＴ像は患部を含む断層像である。ＰＥＴ像のデータは表示装置２３に出力され、表示される。なお、検出データ量が比較的少ない場合や、演算処理装置１９Ａ，１９Ｂにおける同時判定の処理速度が特に要求されない場合には、補助メモリ１８Ａ，１８Ｂを設けず、バッファ１０ａ〜１０ｆの記憶データを直接主メモリ２０Ａ，２０Ｂに格納し、演算処理装置１９Ａ，１９Ｂから主メモリ２０Ａ，２０Ｂにアクセスして同時判定を行っても良い。
【００３０】
ここで、詳細な説明は省略するが、本実施の形態の放射線検査装置は、ＰＥＴ検査に加え、ＣＴ検査（Ｘ線ＣＴ検査等）も併せて行うことができるようになっている。先の図１において、３５はＸ線を放射するＸ線発生器で、このＸ線発生器３５は、アーム３６先端に取付けられている。そして、このアーム３６は、Ｘ線発生器駆動装置３７を介し、上記ケーシング３の側面に取付けた略リング状（図１ではその断面を図示している）のガイドレール３８に対して走行可能に取付けられている。これにより、Ｘ線発生器駆動装置３７を駆動力として、ガイドレール３８に沿ってアーム３６が移動することにより、Ｘ線発生器３５が、孔部６に挿入されたベッド３１に横たわる被検者３０の周囲を周回するようになっている。また、Ｘ線発生器３５から放射されたＸ線は、Ｘ線発生器３５の周回時、被検者３０を介してＸ線発生器３５に対向する最も内側に配置された放射線検出器４により検出される。
【００３１】
このとき、Ｘ線を検出する放射線検出器４（最も内側のもの）は、図４に示すように、上記信号処理装置７Ａ又は７Ｂへの伝送経路と、Ｘ線検出信号処理装置６１への伝送経路とを切替える切替えスイッチ６０に接続している。これにより、最も内側の放射線検出器４は、Ｘ線の検出信号をγ線の検出信号として出力しないよう、Ｘ線発生器３５が被検者３０を介して対向位置に位置する僅かな時間だけ、Ｘ線検出信号処理装置（ＣＴ信号処理装置）６１に検出信号を出力するようになっている。なお、こうした切替制御は、例えば、上記Ｘ線発生器駆動装置３７に内蔵されたエンコーダ（図示せず）の出力信号を基にＸ線発生器３５の位置を演算し、これに対向する幾つかの放射線検出器４を特定することにより可能となる。
【００３２】
そして、Ｘ線検出信号処理装置６１の演算結果（Ｘ線ＣＴ像の画像データ）は、最終的に画像作成装置２２に出力され、Ｘ線ＣＴ像として再構成されると共に、上記ＰＥＴ像と合成されるようになっている。Ｘ線ＣＴ像は、臓器や骨格等を含めた被検者３０の断層像を撮像したもので、このＸ線ＣＴ像に上記ＰＥＴ像を合成することにより、被検者３０の体内における病巣の位置を視覚的に特定することができるようになっている。
【００３３】
以上の構成の本実施の形態の放射線検査装置のＰＥＴ検査時における動作を以下に説明する。
ＰＥＴ検査時には、予め被検者３０に検査目的に応じたＰＥＴ用薬剤を投与（例えば注射）した後、ＰＥＴ用薬剤が被検者３０の体内に拡散して患部（例えば癌の患部）に集積するのを待つ。薬剤が十分拡散した頃、被検者３０の横たわったベッド３１を上記孔部６に挿入し、被検者３０の周囲を放射線検出器４で取り囲む。
【００３４】
例えば癌検査の場合を例に挙げて説明すると、通常、ＰＥＴ用薬剤として18ＦＤＧを用いる。この場合、被検者３０の体内の癌病巣に集積したＰＥＴ用薬剤からは５１１［keV］のエネルギーを持つ無数のγ線対が放出される。これらγ線は、任意の放射線検出器４に入射して減衰すると、γ線の入射した放射線検出器４は、γ線の減衰エネルギーに応じた検出信号を出力し、各検出信号は、対応するγ線弁別装置７に出力される。各γ線弁別装置７は、入力した検出信号に対して前述した処理を行い、エネルギー検出値、放射線検出器４の位置情報及び時刻情報を含む検出データを出力される。
【００３５】
ここで、図６は、上記制御装置１２による信号伝送の経路切替の一例を表すタイムチャートである。本実施の形態においては、制御装置１２は、一例として以下のように上記切替スイッチ９Ａ，９Ｂ，１３Ａ，１３Ｂ，１４Ａ，１４Ｂを切替える。まず、各切換スイッチ９Ａ，９Ｂ，１３Ａ，１３Ｂ，１４Ａ，１４Ｂの切替えを指示する指令信号は、Ｔ［sec］周期（又はＴの倍数［sec］周期）のタイミングで制御装置１２から出力される。
【００３６】
信号処理装置７Ａの各γ線弁別装置７に入力された検出信号は、上記のように「検出された時刻・検出器位置・エネルギー検出値」の情報を有する検出データに変換されて出力される。このとき、切替スイッチ９Ａは、制御装置１２によりＴ［sec］周期で切替えられ、ほぼ同一時間帯における信号処理装置７Ａからの検出データは、Ｔ［sec］周期で順次バッファ１０ａ〜１０ｃに割り振られる。その結果、図６（ａ）に示すように、バッファ１０ａには、時刻０〜Ｔの間に信号処理装置７Ａからの検出データが記憶され、次のＴ秒間（時刻Ｔ〜２Ｔの間）は、信号処理装置７Ａからの検出データは、バッファ１０ｂに記憶される。そして、その次のＴ秒間（時刻２Ｔ〜３Ｔの間）は、信号処理装置７Ａからの検出データは、バッファ１０ｃに記憶され、時刻３Ｔ以降、以上の切替え動作を繰り返す。また、信号処理装置７Ｂに関しても、時刻０〜Ｔの間の検出データはバッファ１０ｄに、時刻Ｔ〜２Ｔの間の検出データはバッファ１０ｅに、時刻２Ｔ〜３Ｔの間の検出データはバッファ１０ｆに記憶され、時刻３Ｔ以降、この切替え動作を繰り返す。
【００３７】
次に、制御装置１２の制御による切替スイッチ１３Ａ，１３Ｂ，１４Ａ，１４Ｂの切替動作を説明する。本例では、上記のようにバッファ１０ａ〜１０ｃに検出データが記憶された後、例えば、時刻Ｔ以降、例として切替スイッチ１３Ａを、Ｔ［sec］周期でバッファ１０ａ→バッファ１０ｂ→バッファ１０ｃ→バッファ１０ａ・・・と繰り返し接続が切替わるよう制御し、同時に切替スイッチ１４Ａを、Ｔ［sec］周期でバス１６Ａ→バス１６Ｂ→バス１６Ａ・・・と繰り返し接続が切替わるよう制御する。また、同様に、バッファ１０ｄ〜１０ｆに検出データが記憶された後、例えば、時刻２Ｔ以降、例として切替スイッチ１３Ｂを、Ｔ［sec］周期でバッファ１０ｄ→バッファ１０ｅ→バッファ１０ｆ・・・と繰り返し接続が切替わるよう制御し、これと同時に切替スイッチ１４Ｂを、Ｔ［sec］周期でバス１６Ａ→１６Ｂ・・・と繰り返し接続が切替わるよう制御する。Ｔ[sec]は設定期間であり、切替スイッチ９Ａ，９Ｂ，１３Ａ，１３Ｂ，１４Ａ，１４Ｂは、設定毎に関係する情報の送付先を切り替える。
【００３８】
即ち、図６（ｂ）に示すように、バス１６Ａに入力される検出データは、時刻Ｔ〜２Ｔの間はバッファ１０ａ、時刻２Ｔ〜３Ｔの間はバッファ１０ｄ、時刻３Ｔ〜４Ｔの間はバッファ１０ｃ、時刻４Ｔ〜５Ｔの間はバッファ１０ｆ、時刻５Ｔ〜６Ｔの間はバッファ１０ｂ、時刻６Ｔ〜７Ｔの間はバッファ１０ｅからの検出データが入力され、時刻７Ｔ以降、以上が繰り返される。また、バス１６Ｂを見ると、図６（ｃ）に示すように、時刻２Ｔ〜３Ｔの間はバッファ１０ｂ、時刻３Ｔ〜４Ｔの間はバッファ１０ｅ、時刻４Ｔ〜５Ｔの間はバッファ１０ａ、時刻５Ｔ〜６Ｔの間はバッファ１０ｄ、時刻６Ｔ〜７Ｔの間はバッファ１０ｃから、時刻７Ｔ〜８Ｔの間はバッファ１０ｆから、検出データがそれぞれ入力され、時刻８Ｔ以降、以上が繰り返される。
【００３９】
このとき、図６（ａ）〜図６（ｃ）に示すように、例えば時刻０〜Ｔの間の検出信号に基づく検出データに注目すると、その間の検出データは全てバッファ１０ａ，１０ｄに一時的に記憶され、その後、時刻Ｔ〜３Ｔの間にバス１６Ａを介して同時計数装置１７Ａに出力される。また、例えば時刻Ｔ〜２Ｔの間の検出信号に基づく検出データは、全てバッファ１０ｂ，１０ｅに一時記憶され、時刻２Ｔ〜４Ｔの間にバス１６Ｂを介して同時計数装置１７Ｂに出力される。即ち、以上の切替動作により、本実施の形態では、信号処理装置７Ａ，７Ｂにおいて、同一時間帯に検出された検出信号に基づく検出データは、最終的に、それぞれ同一のバスを経由して同じ同時計数装置に入力される。
【００４０】
その後、同時計数装置１７Ａ，１７Ｂ（厳密には演算処理装置１９Ａ，１９Ｂ）は、同時判定処理を漏れなく行い、それぞれ高精度なＰＥＴ像の同時検出データを作成しネットワーク２１を介して断層像作成装置２２に出力する。そして、断層像作成装置２２は、入力した同時検出データを基に放射線の発生頻度の空間分布を表す画像データを作成し、この画像データを元にＰＥＴ像を再構成し表示装置２３に表示出力する。なお、前述したように、以上のＰＥＴ像の再構成と共に、本実施の形態においては、Ｘ線ＣＴ像も再構成され、最終的に表示装置２３に表示される断層像は、ＰＥＴ像及びＸ線ＣＴ像の合成画像となる。
【００４１】
以上のように、本実施の形態においては、各放射線検出器４から演算処理装置１７Ａ，１７Ｂまでの伝送経路を複数設け、複数の放射線検出器４で同一時間帯に検出された検出信号に基づく検出データが、複数の伝送経路を介して演算処理装置１７Ａ及び演算処理装置１７Ｂに設定期間毎に交互に入力されるようにする。これにより、特別に容量の大きな配線やバスを設けずとも実質的に演算処理装置までの信号伝送の容量及び速度を向上させることができる。従って、仮に放射線検出器４が飛躍的に増加しても、信号の伝送及び処理の速度の低下を防止し、速やかにＰＥＴ像を再構成することができる。また、演算処理装置が複数設けられているので、同時検出データの演算処理速度も向上させることができ、画像作成までに要する時間を短縮できる。このとき、ほぼ同一時間帯に検出された検出データは、最終的には全て同一の演算処理装置１７Ａ又は１７Ｂに集約され、そこで同時判定処理を受けるので、作成される同時検出データの信頼性が低下することはない。
【００４２】
また、本実施の形態によれば、画像作成装置２２に対し同時検出データを効率的に出力することができ、画像作成装置２２におけるデータ記憶容量を軽減することもできる。また、画像作成装置２２に送信される同時検出データは時間帯毎に区切られたパケットとして送信されるため、時間毎に区切られた再構成画像を容易に取得することができる。
【００４３】
また具体的には、例えば、通常、γ線弁別装置から出力される検出データは、１０6〜１０7イベント／秒程度のオーダーであり、一般的に、バッファへの伝送速度は、約数十［Mbyte／sec］程度である。この場合、上記した切替周期Ｔを、数ミリ秒〜数百ミリ秒程度とすれば、１回当りに入力される検出データは、一般的なバッファの容量で十分に記憶できると共に、次に検出データが入力されるまでに、同時計数装置１７Ａ又は１７Ｂに出力することが可能となる。
【００４４】
また、同時計数装置１７Ａ，１７Ｂへの検出データの伝送を、上記のように円滑に繰り返し行うためには、各同時計数装置１７Ａ，１７Ｂへの検出データの伝送能力（バスの転送能力）が、信号処理装置７Ａ，７Ｂからバッファ１０ａ〜１０ｆへの伝送速度と同等であれば足り、本実施の形態では、例えば汎用のデータ転送規格であるＣ−ＰＣＩバス等を用いれば十分足りる。これにより、ほぼ同一の時間帯の時刻情報を有するγ線検出に関する全データを、複数の伝送経路を経由させて同一の同時計数装置に転送することができる。従って、一般的な配線を用いても、実質的に伝送経路の容量を増大させることができ、特に容量の大きなバッファやメモリ等を用いなくとも、今後、放射線検出器の数が更に増加した場合にも、演算処理装置１９Ａ，１９Ｂへのデータ伝送容量を十分に確保することができ、ＰＥＴ像の再構成処理を速やかに行うことができる。本実施の形態によれば、従来の一般的なＰＥＴ検査装置に比べ、同時計数装置１７Ａ，１７Ｂから画像作成装置２２へのデータ転送時間、画像作成装置１７Ａ，１７Ｂにおけるデータ保存容量が、共に著しく軽減された。
【００４５】
本発明の放射線検査装置の第２の実施の形態を図７を用いて説明する。
図７は、本発明の放射線検査装置の第２の実施の形態における信号の伝送回路の概略を表すブロック図である。但し、この図７において先の各図と同様の部分には同符号を付し説明を省略する。この図７に示すように、本実施の形態と上記題１の実施の形態との異なる点は、第１の実施の形態においては、独立した６つのバッファ１０ａ〜１０ｆを設けたのに対し、独立した２つのバッファ１０Ａ，１０Ｂを設け、その保存領域をそれぞれ３つづつに区画し、６つの保存領域１０Ａａ〜１０Ａｃ，１０Ｂａ〜１０Ｂｃを設けた点である。また、本実施の形態においては、上記切替スイッチ９Ａ，９Ｂ，１３Ａ，１３Ｂを省略している。その他の構成は第１の実施の形態と同様である。
【００４６】
こうした構成の本実施の形態において、上記バッファ１０Ａａ〜１０Ａｃ，１０Ｂａ〜１０Ｂｃは、それぞれ上記第１の実施の形態におけるバッファ１０ａ〜１０ｆに対応し、第１の実施の形態と同じ要領で、例えば図８（ａ）に示すように、信号処理装置７Ａからの検出データは全てバッファ１０Ａに出力され、時刻０〜Ｔの間では保存領域１０Ａａに、時刻Ｔ〜２Ｔの間では保存領域１０Ａｂに、時刻２Ｔ〜３Ｔの間では保存領域１０Ａｃにそれぞれ記憶され、時刻３Ｔ以降、以上を繰り返す。また、信号処理装置７Ｂからの検出データは全てバッファ１０Ｂに出力され、時刻０〜Ｔの間では保存領域１０Ｂａに、時刻Ｔ〜２Ｔの間では保存領域１０Ｂｂに、時刻２Ｔ〜３Ｔの間では保存領域１０Ｂｃに記憶され、時刻３Ｔ以降、これを繰り返す。
【００４７】
また、こうして各保存領域１０Ａａ〜１０Ａｃに記憶された検出データは、同時計数装置１７Ａ又は１７Ｂに出力される。第１の実施の形態と同様、制御装置１２による切替スイッチ１４Ａ，１４Ｂの制御により、例えば図８（ｂ）に示すように、時刻Ｔ〜２Ｔの間は保存領域１０Ａａ、時刻２Ｔ〜３Ｔの間は保存領域１０Ｂａ、時刻３Ｔ〜４Ｔの間は保存領域１０Ａｃ、時刻４Ｔ〜５Ｔの間は保存領域１０Ｂｃ、時刻５Ｔ〜６Ｔの間は保存領域１０Ａｂ、時刻６Ｔ〜７Ｔの間は保存領域１０Ｂｂから、検出データがバス１６Ａに出力され、同時計数装置１７Ａに出力される。時刻７Ｔ以降、以上が繰り返される。また、切替スイッチ１４Ａ，１４Ｂの制御により、図８（ｃ）に示すように、時刻２Ｔ〜３Ｔの間は保存領域１０Ａｂ、時刻３Ｔ〜４Ｔの間は保存領域１０Ｂｂ、時刻４Ｔ〜５Ｔの間は保存領域１０Ａａ、時刻５Ｔ〜６Ｔの間は保存領域１０Ｂａ、時刻６Ｔ〜７Ｔの間は保存領域１０Ａｃ、時刻７Ｔ〜８Ｔの間は保存領域１０Ｂｃから、それぞれ検出データがバス１６Ｂに出力され、同時計数装置１７Ｂに出力される。時刻８Ｔ以降、以上が繰り返される。
【００４８】
このように、第１の実施の形態と同様の伝送を行う限りにおいては、必ずしも全て独立したバッファを設けずとも、バッファの保存領域を適宜分割して複数の保存領域に区画することによって実現できる。また、本実施の形態においては、第１の実施の形態における切替スイッチ９Ａ，９Ｂ，１３Ａ，１３Ｂを省略することができる。本実施の形態においても第１の実施の形態と同様の効果を得ることができる。
【００４９】
本発明の放射線検査装置の第３の実施の形態を図９を用いて説明する。
図９は、本発明の放射線検査装置の第３の実施の形態における主記憶装置までの信号伝送経路の概略を表すブロック図である。この図９に示すように、本実施の形態と上記第１の実施の形態との異なる点は、信号処理装置７Ａの出力先として独立したバッファ５０ａ，５０ｂを設け、これらバッファ５０ａ，５０ｂへの出力切替を行う切替スイッチ４０Ａを設けた点である。また、同様に、信号処理装置７Ｂの出力先として独立したバッファ５０ｃ，５０ｄを設け、これらバッファ５０ｃ，５０ｄへの出力切替を行う切替スイッチ４０Ｂを設けている。切替スイッチ４０Ａ，４０Ｂは、制御装置１２により、タイマ１１の時刻に基づき制御されるようになっている。そして、バス１６Ａには、配線１５ａ，１５ｃを介し、それぞれバッファ５０ａ，５０ｃに記憶された検出データが出力され、バス１６Ｂには、配線１５ｂ，１５ｄを介し、それぞれバッファ５０ｂ，５０ｄに記憶された検出データが出力される。その他の構成は、前述の第１の実施の形態と同様である。
【００５０】
本実施の形態において、切替スイッチ４０Ａ，４０Ｂは、互いに同様の動きをするよう、例えば、切替周期Ｔで切替られるようにする。即ち、時刻０〜Ｔの間では、切替スイッチ４０Ａ，４０Ｂは、それぞれバッファ５０ａ，５０ｃに接続して共にバス１６Ａに出力される検出データを信号処理装置７Ａ，７Ｂから伝送する。そして、時刻Ｔ〜２Ｔの間でこれらバッファ５０ａ，５０ｃの検出データが、バス１６Ａに集約され、同時計数装置１７Ａに出力される。また、この時刻Ｔ〜２Ｔにおいて、切替スイッチ４０Ａ，４０Ｂは、それぞれバッファ５０ｂ，５０ｄに切替えられ、共にバス１６Ｂに出力される検出データを信号処理装置７Ａ，７Ｂから伝送する。そして、次の時刻２Ｔ〜３Ｔの間にこれらの検出データをバス１６Ｂを介して同時計数装置１７Ｂに出力すると共に、切替スイッチ４０Ａ，４０Ｂの切替わりにより、時刻３Ｔ〜４Ｔの間に出力されるデータをバッファ５０ａ，５０ｃに伝送する。こうした動作の繰り返しにより、各バッファ５０ａ〜５０ｄは、周期Ｔでデータの記憶、出力を繰り返し、ほぼ同一時間帯のデータは、全て集約され、最終的に同一の同時計数装置１７Ａ又は１７Ｂに入力されるようになっている。
【００５１】
本実施の形態においても第１及び第２の実施の形態と同様の効果を得ることができると共に、予めバスとバッファとの対応を取っているため、第１及び第２の実施の形態に比べて同時計数装置１７Ａ，１７Ｂまでの伝送経路を簡略化することができる。また、第２の実施の形態のように、データを受信するバッファ内部の保存領域を考慮する必要もない。
【００５２】
本発明の放射線検査装置における放射線検出器群の分割に関する変形例を図１０を用いて説明する。
図１０は、本変形例における放射線検出器群の分割状態の一例を表す図で、先の図２に対応する図である。本変形例においては、この図１０に示すように、多層のリング状に配設した各放射線検出器４を、周方向に４等分して放射線検出器群４ａ〜４ｄとし、各々対応する複数の（この例では４つの）信号処理装置（図示せず）に接続している（但し、この例では４つに分割する例を示したが、これに限られず、周方向に複数に分割すれば良い）。このように、リング状に配設した放射線検出器４を周方向に分割することにより、互いにほぼ反対方向（厳密には１８０±０．６°）に放射されるγ線対が、同一の放射線検出器群に入射することがなくなる。そのため、ある１つの放射線検出器群で検出された検出信号同士が、上記演算処理装置１９Ａ，１９Ｂにて同時判定された場合、その事象として考えられるケースは、以下の３つである。
▲１▼被検者３０体内の異なる発生源から放射されたγ線が、偶発的に同時（設定した時間範囲内）に検出された場合（偶発事象）
▲２▼被検者３０体内での散乱により、進行方向が変わったγ線が同時（設定した時間範囲内）に検出された場合（散乱事象）
▲３▼一つのγ線が、同じ放射線検出器群内の複数の放射線検出器４で減衰した場合
以上３つのケースにおいて、▲１▼及び▲２▼のケースでは、同時判定されたデータはγ線対の検出結果に基づくものではなく、ＰＥＴ像のノイズとなる成分である。それに対し、▲３▼のケースは元々一つのγ線の検出結果による事象なので、真の成分である可能性がある。本変形例のように、リング状に配設した放射線検出器４を、周方向に複数の放射線検出器群に分割することにより、同一の放射線検出器群の検出結果が同時判定された場合、その事象が上記３つケースのいずれかによるものであると判定することができる。
【００５３】
そこで、各放射線検出器群４ａ〜４ｄにそれぞれ対応して信号処理装置（図示せず）を複数（この例では４つ）設け、それら複数の信号処理装置内部で、予めそれぞれγ線の検出信号を同時判定することにより、後段の信号伝送回路に出力するデータ量を軽減することが可能となる。この場合、例えば各信号処理装置のγ線弁別装置に予めエネルギーしきい値を設定しておき、同時判定された検出信号のエネルギー検出値の合計が、しきい値の範囲内であれば上記▲３▼のケース、しきい値の範囲外であれば上記▲１▼又は▲２▼のケースと判定することができる。▲１▼又は▲２▼のケースと判定された場合、その信号を信号処理装置内で除去し、▲３▼のケースと判定された場合、その検出データを後段の信号伝送回路に出力する。また、▲３▼のケースと判定した場合、それぞれのエネルギー検出値を基に、初期入射したγ線の検出信号と推定される検出信号を出力するようにすることもできる。
【００５４】
なお、以上の各実施の形態及び変形例において、信号処理装置数、バッファ数、バッファの保存領域の分割数等は、以上に限られず、例えばバスの集約本数や検出データの転送速度に応じて適宜変更して構わない。例えば、Ｃ−ＰＣＩバスを用いた場合、配線２０本程度まで集約できるため、信号処理装置数もそれに応じて増設可能である。また、以上において、バス１６Ａ，１６Ｂを同時計数装置１７Ａ，１７Ｂに対応して備える構成を説明したが、バスを１つにまとめて構成しても良い。また、同時計数装置を２つ設けた場合を例に説明したが、更に多数設けても良いし、データ量が比較的少ない場合は、１つ設ける構成としても構わない。要するに、同時装置までの信号伝送経路を、振り分けてやることにより、伝送経路の許容値を超えることなく円滑に信号伝送を行うことができる構成とすれば良い。また、各切替スイッチの切替制御に関しても、必ずしも図６や図８に示したパターンに限られる必要はない。なお、以上の実施例では同時計数装置から断層像の再構成に用いられる同時検出データを画像作成装置に出力し、画像作成装置において同時検出データを基に画像データを作成しＰＥＴ像を表示しているが、同時計数装置内部で同時検出データを作成するだけでなく、同時検出データから画像データを作成し、その画像データを基本データと見なして出力する機能を有しても良い。この場合画像作成装置の機能が軽減される。
【００５５】
また、以上においては、Ｘ線ＣＴ像を作成し、ＰＥＴ像と合成可能な放射線検査装置を例として説明したが、Ｘ線ＣＴ像の作成機能は必ずしも必要なく、言うまでもなく単なるＰＥＴ装置にも本発明は適用できる。勿論、本発明の信号伝送経路に関する思想は、一般的なＸ線ＣＴ検査装置等、他の種の放射線検査装置にも適用可能である。また、較正線源を備え、トランスミッション像の撮影を行う構成の放射線検査装置にも適用可能である。
【００５６】
更に、上記のＰＥＴ及びＸ線検査は、被検者３０の全身に渡って実施する場合もあるし、被検者３０の患部の位置が予め他の検査によってある程度特定されている場合には、その特定された患部の位置の近傍に対し実施することもある。更に、検査によっては、事前に被検者３０にＰＥＴ用薬剤を投与せず、ＰＥＴ用薬剤をベッド３１上に横たわった被検者３０に投与することもあるし、投与しながら検査を行うこともある。これらの場合も同様の効果を得る。また、図２に示したように、放射線検出器４を、一番内側のものを基点として半径方向に直線状に多層配置したが、これにも限られず、半径方向に千鳥配置する構成としても構わない。また、放射線検出器４を多層配置とせず、単に単層でリング状に配置する構成の放射線検査装置にも本発明は、勿論適用可能である。これらの場合も、同様の効果を得ることができる。
【００５７】
【発明の効果】
本発明によれば、同時計数装置が複数設けられているため、検出データの処理速度を増大できる。
【図面の簡単な説明】
【図１】本発明の放射線検査装置の第１の実施の形態の撮像装置の全体構造を表す概略図である。
【図２】図１中II−II断面による断面図である。
【図３】本発明の放射線検査装置の第１の実施の形態における放射線検出器の支持構造を表す斜視図である。
【図４】本発明の放射線検査装置の第１の実施の形態における信号の伝送回路を表す概略図である。
【図５】本発明の放射線検査装置の第１の実施の形態における、同時検出データの保存形式を概略的に表す概念図である。
【図６】本発明の放射線検査装置の第１の実施の形態における信号伝送の経路切替のタイムチャートの一例である。
【図７】本発明の放射線検査装置の第２の実施の形態における信号の伝送回路の概略を表すブロック図である。
【図８】本発明の放射線検査装置の第２の実施の形態における信号伝送の経路切替のタイムチャートの一例である。
【図９】本発明の放射線検査装置の第３の実施の形態における主記憶装置までの信号伝送経路の概略を表すブロック図である。
【図１０】本発明の放射線検査装置における放射線検出器群の分割状態の一変形例を表す図で、図２に対応する図である。
【符号の説明】
４            放射線検出器
４ａ〜ｄ      放射線検出器群
４Ａ，Ｂ      放射線検出器群
７            γ線弁別装置（検出信号処理手段）
７Ａ，Ｂ      信号処理装置（検出信号処理手段群）
１０ａ〜ｆ    バッファ（記憶手段）
１０Ａ，Ｂ    バッファ（記憶手段）
１０Ａａ〜ｃ  保存領域（記憶手段）
１０Ｂａ〜ｃ  保存領域（記憶手段）
１１          タイマ（時刻情報発生手段）
１２          制御装置
１３Ａ，Ｂ    切替スイッチ（切替手段）
１４Ａ，Ｂ    切替スイッチ（切替手段）
１９Ａ，Ｂ    演算処理装置
２２          画像作成装置
３５          Ｘ線発生器
４０Ａ，Ｂ    切替スイッチ（切替手段）
５０ａ〜ｄ    バッファ（記憶手段）
６０          Ｘ線発生器
６１          Ｘ線検出信号処理装置（ＣＴ信号処理装置）
【図１】
0003790712.tif 000002
【図２】
0003790712.tif 000003
【図３】
0003790712.tif 000004
【図４】
0003790712.tif 000005
【図５】
0003790712.tif 000006
【図６】
0003790712.tif 000007
【図７】
0003790712.tif 000008
【図８】
0003790712.tif 000009
【図９】
0003790712.tif 000010
【図１０】
0003790712.tif 000011